【手続補正書】
【提出日】平成21年11月2日(2009.11.2)
【手続補正１】
【補正対象書類名】特許請求の範囲
【補正対象項目名】請求項１
【補正方法】変更
【補正の内容】
【請求項１】
複数の光電変換素子がマトリクス状に配置され、撮影された被写体の画像データを出力する撮像手段と、前記被写体に所定の光量を照射する閃光手段とを有する撮像装置における、当該撮像装置から前記被写体までの被写体距離及び照射光の被写体に対する反射率を検出する被写体情報測定方法であって、
撮像領域における特定領域に対応する、前記被写体距離情報の基準値を取得する基準距離取得手順と、
前記閃光手段の発光無しに撮影して得られた前記被写体の画像データに基づいて、所定の画素数を一単位する複数の第一輝度を、所定の画像領域にわたって離散的に順次生成する第一輝度生成手順と、
前記閃光手段を発光して撮影して得られた前記被写体の画像データに基づいて、前記第一輝度と対になるように、前記所定の画素数を一単位とする複数の第二輝度を生成する第二輝度生成手順と、
前記一単位毎に、前記第二輝度から前記第一輝度を減算して、前記閃光手段の照射光の輝度成分を算出する輝度差算出手順と、
前記一単位毎に、前記第一輝度と、前記輝度差算出手順で算出された照射光の輝度成分とを、夫々、所定の目標輝度と比較して距離情報のパラメータに変換し、第一及び第二のパラメータを生成するパラメータ生成手順と、
前記第一及び第二のパラメータと、前記第二輝度生成手順における前記閃光手段発光の際の露出値とに基づいて、前記一単位毎に、第一の被写体距離情報を生成する第一距離情報生成手順と、
前記特定領域に位置する前記第一の被写体距離情報に対して、前記被写体距離情報の基準値の差分を算出する補正値算出手順と、
前記一単位毎に、前記補正値算出手順で生成された補正値を用いて、前記第一の被写体距離情報を補正し、第二の被写体距離情報を生成する第二距離情報生成手順と、
前記第二の被写体距離情報と、第二輝度生成手順における前記閃光手段発光の際の露出値とに基づいて、前記一単位毎に、前記反射率情報を生成する反射率生成手順と、
を備えることを特徴とする被写体情報測定方法。
【手続補正２】
【補正対象書類名】特許請求の範囲
【補正対象項目名】請求項２
【補正方法】変更
【補正の内容】
【請求項２】
前記第二距離情報生成手順で算出された前記第二の被写体距離情報に対応付けて、撮影された画像を複数の画像領域に画成する画像領域画成手順を備えている、
ことを特徴とする、請求項１に記載の被写体情報測定方法。
【手続補正３】
【補正対象書類名】特許請求の範囲
【補正対象項目名】請求項９
【補正方法】変更
【補正の内容】
【請求項９】
複数の光電変換素子がマトリクス状に配置され、撮影された被写体の画像データを出力する撮像手段と、前記被写体に所定の光量を照射する閃光手段とを有する撮像装置における、当該撮像装置から前記被写体までの被写体距離及び照射光の被写体に対する反射率を検出する被写体情報測定装置であって、
撮像領域における特定領域に対応する、前記被写体距離情報の基準値を取得する基準距離取得手段と、
前記閃光手段の発光無しに撮影して得られた前記被写体の画像データに基づいて、所定の画素数を一単位とする複数の第一輝度を、所定の画像領域にわたって離散的に順次生成する第一輝度生成手段と、
前記閃光手段を発光して撮影して得られた前記被写体の画像データに基づいて、前記第一輝度と対になるように、前記所定の画素数を一単位とする複数の第二輝度を生成する第二輝度生成手段と、
前記一単位毎に、前記第二輝度から前記第一輝度を減算して、前記閃光手段の照射光の輝度成分を算出する輝度差算出手段と、
前記一単位毎に、前記第一輝度と、前記輝度差算出手段で算出された照射光の輝度成分とを、夫々、所定の目標輝度と比較して距離情報のパラメータに変換し、第一及び第二のパラメータを生成するパラメータ生成手段と、
前記第一及び第二のパラメータと、前記第二輝度生成手段における前記閃光手段発光の露出値とに基づいて、前記一単位毎に、第一の被写体距離情報を生成する第一距離情報生成手段と、
前記特定領域に位置する前記第一の被写体距離情報に対して、前記被写体距離情報の基準値の差分を算出する補正値算出手段と、
前記一単位毎に、前記補正値算出段で生成された補正値を用いて、前記第一の被写体距離情報を補正し、第二の被写体距離情報を生成する第二距離情報生成手段と、
前記第二の被写体距離情報と、前記第二輝度生成手段における前記閃光手段発光の露出値とに基づいて、前記一単位毎に、前記反射率情報を生成する反射率生成手段と、
を備えることを特徴とする被写体情報測定装置。
【手続補正４】
【補正対象書類名】特許請求の範囲
【補正対象項目名】請求項１０
【補正方法】変更
【補正の内容】
【請求項１０】
前記第二距離情報生成手段で算出された前記第二の被写体距離情報に対応付けて、撮影された画像を複数の画像領域に画成する画像領域画成手段を備えている、
ことを特徴とする、請求項９に記載の被写体情報測定装置。
【手続補正５】
【補正対象書類名】明細書
【補正対象項目名】０００５
【補正方法】変更
【補正の内容】
【０００５】
また、調光の際に、被写体自体の反射率に起因して、適正な発光量に対しての調光誤差が生じる虞がある。例えば、主被写体の背景に白壁や光沢面を有する反射率の高い物体などが存在しているときに、背景からの反射光量を抑制するように調光すると、撮影の主体となる主被写体に対して露出不足になってしまう虞がある。
【手続補正６】
【補正対象書類名】明細書
【補正対象項目名】０００８
【補正方法】変更
【補正の内容】
【０００８】
特許文献１に記載の技術によれば、被写体距離や被写体反射率等の被写体情報が、予め設定された主要たる被写体部（例えば、人の顔などの特定領域）に対応付けて検出される。しかしながら、特許文献１に記載の技術によれば、被写体距離や被写体反射率等の被写体情報を特定領域以外の位置において検出する手段を備えていないので、例えば主要たる被写体部とその背景との調和やアクセントを配慮して露出を調整するなど、撮影画面全体における被写体情報の変化を配慮して調光を行うことができるように、さらに改善の余地があった。
【手続補正７】
【補正対象書類名】明細書
【補正対象項目名】００１３
【補正方法】変更
【補正の内容】
【００１３】
かかる目的を達成するためになされた請求項１に記載の発明は、複数の光電変換素子がマトリクス状に配置され、撮影された被写体の画像データを出力する撮像手段と、被写体に照射する閃光手段とを有する撮像装置における、当該撮像装置から前記被写体までの被写体距離及び照射光の被写体に対する反射率を検出する被写体情報測定方法であって、撮像領域における特定領域に対応する、前記被写体距離情報の基準値を取得する基準距離取得手順と、前記閃光手段の発光無しに撮影して得られた前記被写体の画像データに基づいて、所定の画素数を一単位とする複数の第一輝度を、所定の画像領域にわたって離散的に順次生成する第一輝度生成手順と、前記閃光手段を発光して撮影して得られた前記被写体の画像データに基づいて、前記第一輝度と対になるように、前記所定の画素数を一単位とする複数の第二輝度を生成する第二輝度生成手順と、前記一単位毎に、前記第二輝度から前記第一輝度を減算して、前記閃光手段の照射光の輝度成分を算出する輝度差算出手順と、前記一単位毎に、前記第一輝度と、前記輝度差算出手順で算出された照射光の輝度成分とを、夫々、所定の目標輝度と比較して距離情報のパラメータに変換し、第一及び第二のパラメータを生成するパラメータ生成手順と、前記第一及び第二のパラメータと、前記第二輝度生成手順における前記閃光手段発光の際の露出値とに基づいて、前記一単位毎に、第一の被写体距離情報を生成する第一距離情報生成手順と、前記特定領域に位置する前記第一の被写体距離情報に対して、前記被写体距離情報の基準値の差分を算出する補正値算出手順と、前記一単位毎に、前記補正値算出手順で生成された補正値を用いて、前記第一の被写体距離情報を補正し、前記第二輝度生成手順における第二の被写体距離情報を生成する第二距離情報生成手順と、前記第二の被写体距離情報と、前記閃光手段発光の際の露出値とに基づいて、前記一単位毎に、前記反射率情報を生成する反射率生成手順と、を備えることを特徴とする。
【手続補正８】
【補正対象書類名】明細書
【補正対象項目名】００１４
【補正方法】変更
【補正の内容】
【００１４】
請求項１に記載の撮像装置の被写体情報測定方法によれば、まず、撮像領域における特定領域に対応する被写体距離情報の基準値を取得し、次いで、閃光手段の発光無しに撮影して得られた前記被写体の画像データに基づいて、所定の画素数を一単位とする複数の第一輝度を、所定の画像領域にわたって離散的に順次生成し、次いで、閃光手段を発光して得られた前記被写体の画像データに基づいて、第一輝度と対になるように、複数の第二輝度を生成し、次いで、一単位毎に、第二の輝度から第一の輝度を減算することにより、閃光手段の照射光の輝度成分を算出する。
【手続補正９】
【補正対象書類名】明細書
【補正対象項目名】００１５
【補正方法】変更
【補正の内容】
【００１５】
次いで、一単位毎に、第一輝度と、輝度差算出手順で算出された照射光の輝度成分とを、夫々、所定の目標輝度と比較して距離情報のパラメータに変換し、第一及び第二のパラメータを生成し、次いで、第一及び第二のパラメータと、閃光手段発光の際の露出値とに基づいて、一単位毎に、第一の被写体距離情報を生成する。
【手続補正１０】
【補正対象書類名】明細書
【補正対象項目名】００１７
【補正方法】変更
【補正の内容】
【００１７】
次いで、第二の被写体距離情報と、閃光手段発光の際の露出値とに基づいて、前記一単位毎に、反射率情報を生成することにより、撮影画面に離散的に生成された第一、第二輝度の座標に毎に、被写体距離情報（第二の被被写体距離情報である）に対応付けて被写体反射率を測定できる。
【手続補正１１】
【補正対象書類名】明細書
【補正対象項目名】００１８
【補正方法】変更
【補正の内容】
【００１８】
これにより、請求項１に記載の撮像装置の被写体情報測定方法は、閃光手段を備えた撮像装置において、被写体距離及び反射率等の被写体情報を、撮影画面に離散的に生成された輝度座標に対応付けて複数の位置で測定でき、撮像画面の任意の座標に対応付けて、自由自在に調光できる。
【手続補正１２】
【補正対象書類名】明細書
【補正対象項目名】００２６
【補正方法】変更
【補正の内容】
【００２６】
請求項８に記載の露光制御方法によれば、請求項１乃至請求項７の何れか記載の被写体情報測定方法を用いて被写体までの距離及び被写体の反射率を検出し、この検出結果に応じて撮影の際の露光量を制御することにより、撮像画面の任意の位置における露出を適切に調整できる。また、請求項１乃至請求項７の何れか記載の被写体情報測定方法で得られた被写体距離を焦点合わせのためのパラメータとして用いることができて、一層、利便性を向上できる。
【手続補正１３】
【補正対象書類名】明細書
【補正対象項目名】００２７
【補正方法】変更
【補正の内容】
【００２７】
次に、請求項９に記載の発明は、複数の光電変換素子がマトリクス状に配置され、撮影された被写体の画像データを出力する撮像手段と、被写体に照射する閃光手段とを有する撮像装置における、当該撮像装置から前記被写体までの被写体距離及び照射光の被写体に対する反射率を検出する被写体情報測定装置であって、撮像領域における特定領域に対応する、前記被写体距離情報の基準値を取得する基準距離取得手段と、前記閃光手段の発光無しに撮影して得られた前記被写体の画像データに基づいて、所定の画素数を一単位とする複数の第一輝度を、所定の画像領域にわたって離散的に順次生成する第一輝度生成手段と、前記閃光手段を発光して撮影して得られた前記被写体の画像データに基づいて、前記第一輝度と対になるように、前記所定の画素数を一単位とする複数の第二輝度を生成する第二輝度生成手段と、前記一単位毎に、前記第二輝度から前記第一輝度を減算して、前記閃光手段の照射光の輝度成分を算出する輝度差算出手段と、前記一単位毎に、前記第一輝度と、前記輝度差算出手段で算出された照射光の輝度成分とを、夫々、所定の目標輝度と比較して距離情報のパラメータに変換し、第一及び第二のパラメータを生成するパラメータ生成手段と、前記第一及び第二のパラメータと、前記第二輝度生成手段における前記閃光手段発光の際の露出値とに基づいて、前記一単位毎に、第一の被写体距離情報を生成する第一距離情報生成手段と、前記特定領域に位置する前記第一の被写体距離情報に対して、前記被写体距離情報の基準値の差分を算出する補正値算出手段と、前記一単位毎に、前記補正値算出手順で生成された補正値を用いて、前記第一の被写体距離情報を補正し、第二の被写体距離情報を生成する第二距離情報生成手段と、前記第二の被写体距離情報と、前記第二輝度生成手段における前記閃光手段発光の際の露出値とに基づいて、前記一単位毎に、前記反射率情報を生成する反射率生成手段と、を備えることを特徴とする。
【手続補正１４】
【補正対象書類名】明細書
【補正対象項目名】００２８
【補正方法】変更
【補正の内容】
【００２８】
請求項９に記載の被写体情報測定装置によれば、請求項１に記載の発明と同様に、閃光手段を備えた撮像装置において、被写体距離及び反射率等の被写体情報を、撮影画面に離散的に生成された輝度座標に対応つけて複数の位置で測定でき、撮像画面の任意の位置に対応付けて、自由自在に調光できる。
【手続補正１５】
【補正対象書類名】明細書
【補正対象項目名】００２９
【補正方法】変更
【補正の内容】
【００２９】
また、請求項９に記載の発明は、請求項１０に記載の発明のように、前記第二距離情報生成手段で算出された前記第二の被写体距離情報に対応付けて、撮影された画像を複数の画像領域に画成する画像領域画成手段を備えていることにより、請求項２に記載の発明と同様に、撮影される画面を距離に対応付けて階層的に分析できて、調光の際の利便性を向上できる。
【手続補正１６】
【補正対象書類名】明細書
【補正対象項目名】００３６
【補正方法】変更
【補正の内容】
【００３６】
請求項１６に記載の露光制御装置によれば、請求項９乃至請求項１５の何れか記載の被写体情報測定装置を用いて被写体までの距離及び被写体の反射率を検出し、この検出結果に応じて撮影の際の露光量を制御することにより、請求項８に記載の発明と同様に、撮像画面の任意の位置における露出を適切に調整できる。また、請求項９乃至請求項１５の何れか記載の被写体情報測定装置で得られた被写体距離を焦点合わせのためのパラメータとして用いることができて、一層、利便性を向上できる。
【手続補正１７】
【補正対象書類名】明細書
【補正対象項目名】００３７
【補正方法】変更
【補正の内容】
【００３７】
本発明の被写体情報測定方法及び被写体情報測定装置は、閃光手段を備えた撮像装置において、被写体距離及び反射率等の被写体情報を、撮影画面に離散的に生成された輝度座標に対応つけて複数の位置で測定でき、撮像画面の任意の位置に対応付けて、自由自在に調光できる。
【手続補正１８】
【補正対象書類名】明細書
【補正対象項目名】００３８
【補正方法】変更
【補正の内容】
【００３８】
また、本発明の被写体情報測定方法及び被写体情報測定装置は、撮影された画像を複数の画像領域に画成することにより、撮影される画面を被写体距離に対応付けて階層的に分析できて、調光の際の利便性を向上でき、さらには、画成された画像領域同士の第二の被写体距離情報の差分を検出することにより、画像領域同士の被写体距離の相対的な差を測定できて、調光の際の利便性を向上できる。
【手続補正１９】
【補正対象書類名】明細書
【補正対象項目名】００３９
【補正方法】変更
【補正の内容】
【００３９】
また、本発明の被写体情報測定方法及び被写体情報測定装置は、第二の被写体距離情報に対応付けて画成された画像領域同士の、反射率の差分情報を算出することにより、被写体距離情報によって区分された撮像領域同士の、反射率の差分に応じた調光が可能になり、さらには、画成された画像領域毎に、該画像領域の大きさを算出する画像領域算出手段を備えていることにより、第二の被写体距離毎の画像領域に応じた調光が可能になり、第二の被写体距離情報に対応付けて画成された複数の画像領域同士の相対的位置関係を検出することにより、被写体距離情報によって区分された被写体部同士の、画面上の相対的位置関係に係る情報に応じた調光が可能になり、一層、利便性を向上できる。
【手続補正２０】
【補正対象書類名】明細書
【補正対象項目名】００４０
【補正方法】変更
【補正の内容】
【００４０】
また、本発明の被写体情報測定方法及び被写体情報測定装置は、第二の被写体距離情報又は反射率情報を、撮影された画像の座標位置に対応つけて表示することにより、ユーザーが、輝度座標に対応付けて、調光に係る被写体測定情報を容易に知ることができ、利便性を向上できる。
【手続補正２１】
【補正対象書類名】明細書
【補正対象項目名】００４１
【補正方法】変更
【補正の内容】
【００４１】
次に、本発明の露光制御方法及び露光制御装置は、本発明の被写体情報測定方法及び被写体情報測定装置を用いて被写体までの距離及び被写体の反射率を検出し、この検出結果に応じて撮影の際の露光量を制御することにより、撮像画面の任意の位置における露出を適切に調整でき、さらには、得られた被写体距離を焦点合わせのためのパラメータとして用いることができて、一層、利便性を向上できる。
【手続補正２２】
【補正対象書類名】明細書
【補正対象項目名】００６２
【補正方法】変更
【補正の内容】
【００６２】
次に、撮像装置１は、ＣＰＵ４０がＲＯＭ４１と協働し、輝度座標距離情報生成手段２６で測定された第二の被写体距離情報ＤＶ（ｈ，ｖ）及び反射率算出手段３２で算出された反射率情報（ＲＶ（ｈ，ｖ））に応じて、被写体を撮影する際の露光量を制御する露光制御装置の機能を備えている。
【手続補正２３】
【補正対象書類名】明細書
【補正対象項目名】００６５
【補正方法】変更
【補正の内容】
【００６５】
そして、被写体情報測定装置２００は、ユーザーが、撮影する際に第二の被写体距離情報ＤＶ（ｈ，ｖ）及び反射率ＲＶ（ｈ，ｖ）を参照し、図示しないインタフェースを介して、主たる被写体部を選択できるように構成されている。
【手続補正２４】
【補正対象書類名】明細書
【補正対象項目名】００７２
【補正方法】変更
【補正の内容】
【００７２】
まず、この手順は、ユーザーによって被写体情報測定装置２００に起動信号が入力された際にスタートする。
【手続補正２５】
【補正対象書類名】明細書
【補正対象項目名】００７６
【補正方法】変更
【補正の内容】
【００７６】
次いで、Ｓ１３０において、閃光装置１３の予備発光無しに被写体を撮影し、その後、Ｓ１４０に移る。
【手続補正２６】
【補正対象書類名】明細書
【補正対象項目名】００８８
【補正方法】変更
【補正の内容】
【００８８】
まず、この手順は、ユーザーによって被写体情報測定装置２００に起動信号が入力された際にスタートする。
【手続補正２７】
【補正対象書類名】明細書
【補正対象項目名】００９１
【補正方法】変更
【補正の内容】
【００９１】
次いで、Ｓ３２０において、分析対象の画像領域をユーザーからの指令信号に基づいて選択し、その後、Ｓ３３０に移る。
【手続補正２８】
【補正対象書類名】明細書
【補正対象項目名】００９２
【補正方法】変更
【補正の内容】
【００９２】
次いで、Ｓ３３０において、分析する項目に対応付けられた演算モードを選択し、その後、Ｓ３４０〜Ｓ３６０（演算モード１〜３）の何れかに移る。この際、演算モード１が画成された画像領域同士の被写体距離情報の分析、演算モード２が画成された画像領域同士の反射率情報の分析、演算モード３が画成された画像領域の大きさや画像領域同士の相対位置の分析であって、ユーザーからの指令信号に応じて各モードが選択される。
【手続補正２９】
【補正対象書類名】明細書
【補正対象項目名】００９３
【補正方法】変更
【補正の内容】
【００９３】
次いで、Ｓ３３０において演算モード１が選択された場合には、Ｓ３４０に移り、Ｓ３４０において、Ｓ３２０で選択された画像領域の第二被写体距離情報（ＤＶ（ｈ，ｖ））の平均値を算出し、この平均値を用いて、画像領域同士の第二被写体距離情報（ＤＶ（ｈ，ｖ））の差分を算出する。この際、ユーザーが基準となる画像領域を指定し、この基準とした画像領域に対する他の画像領域の差分（平均偏差）を算出する。なお、本発明の第三の被写体距離算出手順は、Ｓ３４０に相当する。
【手続補正３０】
【補正対象書類名】明細書
【補正対象項目名】００９４
【補正方法】変更
【補正の内容】
【００９４】
一方、Ｓ３３０において演算モード２が選択された場合には、Ｓ３５０に移り、Ｓ３５０において、Ｓ３２０で選択された画像領域の反射率情報（ＲＶ（ｈ，ｖ））の平均値を算出し、この平均値を用いて、画像領域同士の、反射率情報（ＲＶ（ｈ，ｖ））の差分情報を算出する。この際、ユーザーが基準となる画像領域を指定し、この基準とした画像領域に対する他の画像領域の差分を算出する。なお、本発明の第二の反射率算出手順が、Ｓ３５０に相当する。
【手続補正３１】
【補正対象書類名】明細書
【補正対象項目名】００９５
【補正方法】変更
【補正の内容】
【００９５】
また、３３０において演算モード３が選択された場合には、Ｓ３６０に移り、Ｓ３６０において、Ｓ３２０で選択された画像領域の輝度座標を参照して画像領域の大きさを算出するとともに、画像領域同士の、相対的位置の差分を算出する。この際、ユーザーが基準となる画像領域を指定し、この基準とした画像領域に対する他の画像領域の、相対的位置の差分を算出する。なお、本発明における画像領域算出手順及び画像位置検出手順は、Ｓ３６０に相当する。
【手続補正３２】
【補正対象書類名】明細書
【補正対象項目名】００９８
【補正方法】変更
【補正の内容】
【００９８】
以上のように、本実施例に記載の被写体情報測定装置２００及び被写体情報測定方法は、撮影された画像領域全体にわたって、輝度座標に対応付けて第二被写体距離情報ＤＶ（ｈ，ｖ）、被写体反射率情報ＲＶ（ｈ，ｖ）を生成できるので、ユーザーの所望に応じて自由自在に調光できる。